(57)【要約】【課題】コネクタへの接続作業性に優れた伝送ケーブルを提供する。【解決手段】第１の導線１１ａ，１２ａと第１の導線１１ａ，１２ａを被覆する第１の絶縁層１１ｂ，１１ｂとを有する単一又は複数の第１のケーブル１１，１２から構成される第１のケーブル群１３と、第１のケーブル群１３を包囲する第１の導電層１７ａと、第２の導線１４ａ，１５ａと第２の導線１４ａ，１５ａを被覆する第２の絶縁層１４ｂ，１５ｂとを有する単一又は複数の第２のケーブル１４，１５から構成され、第１の導電層１７ａの外部に配置された第２のケーブル群１６と、ドレイン線１９と、第１の導電層１７ａ、第２のケーブル群１６、およびドレイン線１９を包囲する第２の導電層１８ａと、を備えており、ドレイン線１９、第１の導電層１７ａ、および第２の導電層１８ａが電気的に接続されていることを特徴とする伝送ケーブル。【選択図】  図１
2011090866.tif 000002
【特許請求の範囲】
【請求項１】
第１の導線と前記第１の導線を被覆する第１の絶縁層とを有する単一又は複数の第１のケーブルから構成される第１のケーブル群と、
前記第１のケーブル群を包囲する第１の導電層と、
第２の導線と前記第２の導線を被覆する第２の絶縁層とを有する単一又は複数の第２のケーブルから構成され、前記第１の導電層の外部に配置された第２のケーブル群と、
ドレイン線と、
前記第１の導電層、前記第２のケーブル群、および前記ドレイン線を包囲する第２の導電層と、を備えており、
前記ドレイン線、前記第１の導電層、および前記第２の導電層が電気的に接続されていることを特徴とする伝送ケーブル。
【請求項２】
請求項１に記載の伝送ケーブルであって、
前記ドレイン線と前記第１の導電層とが直接的に接しており、
前記ドレイン線と前記第２の導電層とが直接的に接しており、
前記第１の導電層と前記第２の導電層とが直接的に接していることを特徴とする伝送ケーブル。
【請求項３】
請求項１に記載の伝送ケーブルであって、
前記ドレイン線が、前記第１の導電層および前記第２の導電層と、それぞれ互いに直接的に接していることを特徴とする伝送ケーブル。
【請求項４】
請求項１に記載の伝送ケーブルであって、
前記第１の導電層と前記第２の導電層とが互いに直接的に接しており、かつ、前記ドレイン線が、前記第１の導電層または前記第２の導電層と、それぞれ互いに直接的に接していることを特徴とする伝送ケーブル。
【請求項５】
請求項１〜４のいずれかに記載の伝送ケーブルであって、
前記第１および前記第２のケーブル群はそれぞれ多芯平行ケーブルペアであり、
前記ドレイン線は、複数の前記第１のケーブルの中心間の中点と、複数の前記第２のケーブルの中心間の中点と、を通る仮想線上に配置されていることを特徴とする伝送ケーブル。
【請求項６】
請求項１〜５のいずれかに記載の伝送ケーブルと、
電源ケーブルと、
グランドケーブルと、
第３の導線と前記第３の導線を被覆する第３の絶縁層とを有する一対の第３のケーブルから構成される第３のケーブル群と、
前記伝送ケーブル、前記電源ケーブル、前記グランドケーブル、および前記第３のケーブル群を被覆する被覆層と、を備えることを特徴とする伝送ケーブルユニット。
【請求項７】
請求項１〜５のいずれかに記載の複数の伝送ケーブルと、
前記複数の伝送ケーブルを被覆する被覆層と、を備えることを特徴とする伝送ケーブルユニット。
【発明の詳細な説明】
【技術分野】
【０００１】
本発明は、ＵＳＢケーブルなどに用いて好適な伝送ケーブルおよび伝送ケーブルユニットに関するものである。
【背景技術】
【０００２】
一対の信号用ケーブルを有する２組のケーブル群に、ドレイン線をそれぞれ具備させたＵＳＢ用の伝送ケーブルが知られている（例えば、非特許文献１参照）。
【先行技術文献】
【非特許文献】
【０００３】
【非特許文献１】Universal Serial Bus 3.0 Specification Revision 1.0、[平成２１年７月１日検索]、インターネット＜URL:http://www.usb.org/developers/docs/usb_30_spec_052109.zip＞
【発明の概要】
【発明が解決しようとする課題】
【０００４】
しかしながら、上記の伝送ケーブルが接続されるコネクタには、ドレイン線に対応する端子（ピン）が１本しか存在しないため、２本のドレイン線を１本の端子に半田付けしなければならず、接続作業が煩雑となっていた。
【０００５】
本発明が解決しようとする課題は、コネクタへの接続作業性に優れた伝送ケーブルを提供することである。
【課題を解決するための手段】
【０００６】
本発明に係る伝送ケーブルは、第１の導線と前記第１の導線を被覆する第１の絶縁層とを有する単一又は複数の第１のケーブルから構成される第１のケーブル群と、前記第１のケーブル群を包囲する第１の導電層と、第２の導線と前記第２の導線を被覆する第２の絶縁層とを有する単一又は複数の第２のケーブルから構成され、前記第１の導電層の外部に配置された第２のケーブル群と、ドレイン線と、前記第１の導電層、前記第２のケーブル群、および前記ドレイン線を包囲する第２の導電層と、を備えており、前記ドレイン線、前記第１の導電層、および前記第２の導電層が電気的に接続されていることを特徴とする。
【０００７】
上記発明において、前記ドレイン線と前記第１の導電層とが直接的に接しており、前記ドレイン線と前記第２の導電層とが直接的に接しており、前記第１の導電層と前記第２の導電層とが直接的に接しているようにしてもよい。
【０００８】
上記発明において、前記ドレイン線が、前記第１の導電層および前記第２の導電層と、それぞれ互いに直接的に接しているようにしてもよい。
【０００９】
上記発明において、前記第１の導電層と前記第２の導電層とが互いに直接的に接しており、かつ、前記ドレイン線が、前記第１の導電層または前記第２の導電層と、それぞれ互いに直接的に接しているようにしてもよい。
【００１０】
上記発明において、前記第１および前記第２のケーブル群はそれぞれ多芯平行ケーブルペアであり、前記ドレイン線は、複数の前記第１のケーブルの中心間の中点と、複数の前記第２のケーブルの中心間の中点と、を通る仮想線上に配置されているようにしてもよい。
【００１１】
本発明に係る伝送ケーブルユニットは、上記の伝送ケーブルと、電源ケーブルと、グランドケーブルと、第３の導線と前記第３の導線を被覆する第３の絶縁層とを有する一対の第３のケーブルから構成される第３のケーブル群と、前記伝送ケーブル、前記電源ケーブル、前記グランドケーブル、および前記第３のケーブル群を被覆する被覆層と、を備えることを特徴とする。
【００１２】
本発明に係る伝送ケーブルユニットは、上記の複数の伝送ケーブルと、前記複数の伝送ケーブルを被覆する被覆層と、を備えることを特徴とする。
【発明の効果】
【００１３】
本発明によれば、伝送ケーブルにおいてドレイン線を１本にしたので、コネクタへの接続作業性が向上する。
【図面の簡単な説明】
【００１４】
【図１】図１は、本発明の第１実施形態における伝送ケーブルユニットの断面図である。
【図２】図２は、図１に示す伝送ケーブルを示す断面図である。
【図３】図３は、第１のケーブル群の構造の一例を示す図である。
【図４】図４は、第１のケーブル群の構造の他の例を示す図である。
【図５】図５は、ドレイン線の配置位置を説明するための図である。
【図６】図６は、本発明の第１実施形態における伝送ケーブルの第１変形例を示す断面図である。
【図７】図７は、本発明の第１実施形態における伝送ケーブルの第２変形例を示す断面図である。
【図８】図８は、本発明の第１実施形態における伝送ケーブルの第３変形例を示す断面図である。
【図９】図９は、本発明の第１実施形態における伝送ケーブルの第４変形例を示す断面図である。
【図１０】図１０は、本発明の第２実施形態における伝送ケーブルユニットの断面図である。
【発明を実施するための形態】
【００１５】
以下、本発明の実施形態を図面に基づいて説明する。
【００１６】
≪第１実施形態≫
図１は第１実施形態における伝送ケーブルユニットの断面図、図２は図１に示す伝送ケーブルの示す断面図、図３は第１のケーブル群の構造の一例を示す図、図４は第１のケーブル群の構造の他の例を示す図、図５はドレイン線の配置位置を説明するための図、および図６〜図９は伝送ケーブルの変形例を示す断面図である。なお、図５は、図２と同様に、伝送ケーブルの断面図を表しているが、ドレイン線の配置位置の説明を容易にするために、ハッチング処理および図面中の符号を一部省略している。
【００１７】
第１実施形態における伝送ケーブルユニット１は、例えば、ＵＳＢ（Universal Serial Bus）３．０用ケーブルとして用いられるものである。図１に示すように、伝送ケーブルユニット１は、信号伝送用の伝送ケーブル１０と、電源供給用の電源ケーブル２０と、電源用のグランドケーブル３０と、信号伝送用のツイストケーブルペア４０と、シース７０内部に充填されるフィラー５０と、これら部材を被覆するシールド層６０およびシース７０と、を備えている。
【００１８】
電源ケーブル２０は、電力を供給する電源線導体２１と、この電源線導体２１を被覆する絶縁性の電源線絶縁層２２とから構成されている。また、グランドケーブル３０は、銅などからなる接地線導体３１と、この接地線導体３１を被覆する絶縁性の接地線絶縁層３２とから構成されている。
【００１９】
ツイストケーブルペア４０は、ＵＳＢ２．０規格に対応する装置に対して信号を伝送するためのケーブルであり、これにより、ＵＳＢ２．０規格との互換性を確保することができる。ツイストケーブルペア４０は、信号を伝送するための導線４１を、ポリエチレン材などの絶縁性の絶縁層４２で被覆した信号ケーブル４３と、同じく信号を伝送するための導線４４を、ポリエチレン材などの絶縁性の絶縁層４５で被覆した信号ケーブル４６とから構成される。なお、このツイストケーブルペア４０は、一対の信号ケーブル４３，４６を、電磁波などのノイズから保護するためのシールドを備えていないＵＴＰ（Unshielded Twist Pair）である。図１においては、ツイストケーブルペア４０を破線で示している。
【００２０】
フィラー５０は、ポリプロピレンまたはアラミド繊維などからなる部材である。フィラー５０を、シース７０内に充填することで、伝送ケーブル１０、電源ケーブル２０、グランドケーブル３０、およびツイストケーブルペア４０をシース７０で被覆した際に、シース７０内部に生じる隙間を埋めて、伝送ケーブルユニット１の形状の安定化を図っている。
【００２１】
シールド層６０は、金属箔または複数本の金属素線の編組などからなり、伝送ケーブルユニット１の外部からの電磁波などのノイズから、シールド層６０内部に収納される信号伝送用の伝送ケーブル１０およびツイストケーブルペア４０などを保護する。
【００２２】
シース７０は、ポリ塩化ビニルなどの絶縁体からなる中空状の管である。シース７０は、伝送ケーブルユニット１の最外周を構成し、伝送ケーブル１０、電源ケーブル２０、グランドケーブル３０、ツイストケーブルペア４０、およびフィラー５０をその内部に収納する。
【００２３】
伝送ケーブル１０は、ＵＳＢ３．０規格に対応する装置に対して信号を伝送するためのケーブルであり、シールドを備える信号伝送用のケーブルである。以下において、図２を参照して、伝送ケーブル１０について詳細に説明する。
【００２４】
伝送ケーブル１０は、図２に示すように、信号伝送用の第１のケーブル群１３と、同じく信号伝送用の第２のケーブル群１６と、第１のケーブル群１３を被覆する第１の被覆部材１７と、１本のドレイン線１９と、これら部材を被覆する第２の被覆部材１８と、を備える。
【００２５】
第１のケーブル群１３は、信号伝送用ケーブル１１および信号伝送用ケーブル１２の一対のケーブルを有する。信号伝送用ケーブル１１，１２は、軟銅などからなる第１の導線１１ａ，１２ａと、この第１の導線１１ａ、１２ａを被覆した絶縁性の第１の絶縁層１１ｂ，１２ｂとをそれぞれ有する。なお、第１のケーブル群１３は、図３に示すように、一対の信号伝送用ケーブル１１，１２を実質的に直線状に並列した平行型のケーブルペア（Ｔｗｉｎａｘケーブルペア、または２芯平行ケーブルペア）としてもよいし、図４に示すように、信号伝送用ケーブル１１と信号伝送用ケーブル１２とを撚り合わせた撚り対型のケーブルペア（例えば、ＳＴＰ（Shielded Twist Pair）ケーブルなど）としてもよい。
【００２６】
第１の被覆部材１７は、アルミニウムなどからなる導電性の第１の導電層１７ａと、ポリエチレンテレフタレート（以下、ＰＥＴともいう）などからなる絶縁性の絶縁層１７ｂと、を備える。例えば、第１の被覆部材１７として、ＰＥＴなどの樹脂テープの片面にアルミニウムなどを蒸着させたものなどを用いることができる。この第１の被覆部材１７は、図２示すように、内側に絶縁層１７ｂが位置し、外側に第１の導電層１７ａが位置するように、第１のケーブル群１３を被覆している。このように、アルミニウムなどからなる導電性の第１の導電層１７ａで第１のケーブル群１３を被覆することで、例えば、第１のケーブル群１３を、ＳＤＰ（Shielded differential pair）と等価なシールドされた構成とすることができ、第１の被覆部材１７の外側からの電磁波などのノイズから、第１のケーブル群１３を保護することができる。
【００２７】
第２のケーブル群１６は、第１のケーブル群１３と同様の構成を有する。すなわち、第２のケーブル群１６は、信号伝送用ケーブル１４および信号伝送用ケーブル１５の一対のケーブルを有する。信号伝送用ケーブル１４，１５は、軟銅などからなる第２の導線１４ａ，１５ａと、この第２の導線１４ａ，１５ａを被覆した絶縁性の絶縁層１４ｂ，１５ｂとをそれぞれ有する。また、第２のケーブル群１６は、第１のケーブル群１３と同様に、図３に示すような平行型のケーブルペアとしてもよいし、図４に示すような撚り対型のケーブルペアとしてもよい。
【００２８】
なお、伝送ケーブル１０は、ＵＳＢ３．０用ケーブル以外の用途に適用してもよい。この場合には、第１のケーブル群１３を、１本あるいは３本以上の信号伝送用ケーブルで構成してもよい。同様に、第２のケーブル群１６を、１本あるいは３本以上の信号伝送用ケーブルで構成してもよい。
【００２９】
ここで、図２に示すように、第１のケーブル群１３は、第１の被覆部材１７の内側に配置されている一方、第２のケーブル群１６は、第１の被覆部材１７の外側に配置されている。すなわち、第１のケーブル群１３と第２のケーブル群１６とが、アルミニウムなどの第１の導電層１７ａを有する第１の被覆部材１７により区切られていることで、第１のケーブル群１３と第２のケーブル群１６との間の電磁波などのノイズを遮断し、第１のケーブル群１３および第２のケーブル群１６におけるクロストークなどの電気的な影響を有効に防止することができる。
【００３０】
第２の被覆部材１８は、第１の被覆部材１７と同様に、アルミニウムなどからなる導電性の第２の導電層１８ａと、ＰＥＴなどからなる絶縁性の絶縁層１８ｂと、を備える。例えば、第２の被覆部材１８として、第１の被覆部材１７と同様に、ＰＥＴなどの樹脂テープの片面にアルミニウムなどを蒸着させたものなどを用いることができる。この第２の被覆部材１８は、図２に示すように、第１のケーブル群１３を被覆した第１の被覆部材１７と、第２のケーブル群１６と、ドレイン線１９とを被覆しており、伝送ケーブル１０の最外周を構成している。また、この第２の被覆部材１８は、内側に第２の導電層１８ａが位置し、外側に絶縁層１８ｂが位置するように、第１の被覆部材１７と、第２のケーブル群１６と、ドレイン線１９とを被覆している。このように、アルミニウムなどの導電性の第２の導電層１８ａで第２のケーブル群１６を被覆することで、例えば、第２のケーブル群１６を、ＳＤＰと等価なシールドされた構成とすることができ、第２の被覆部材１８の外側からの電磁波などのノイズから第２のケーブル群１６を保護することができる。
【００３１】
ドレイン線１９は、銅などからなる導線のみから構成され、第１の導電層１７ａおよび第２の導電層１８ａで遮蔽された電磁波などのノイズを、外部のアースに落とすためのものである。図２に示すように、ドレイン線１９は、第１の導電層１７ａと直接的に接していると共に、第２の導電層１８ａとも直接的に接しており、さらに、第１の導電層１７ａと第２の導電層１８ａとが直接的に接している。これにより、ドレイン線１９、第１の導電層１７ａ、および第２の導電層１８ａがそれぞれ導通し、第１の導電層１７ａおよび第２の導電層１８ａで遮蔽された電磁波などのノイズを、ドレイン線１９を介して、外部のアースに落とすことができる。なお、ドレイン線１９と第１の導電層１７ａ、ドレイン線１９と第２の導電層１８ａ、および第１の導電層１７ａと第２の導電層１８ａはそれぞれ直接的に接している必要はなく、他の部材を介して間接的に接することで、ドレイン線１９、第１の導電層１７ａ、および第２の導電層１８ａが電気的に接続されてもよい。
【００３２】
また、第１のケーブル群１３および第２のケーブル群１６がそれぞれ図３に示すような平行型のケーブルペアである場合には、ドレイン線１９は、第１のケーブル群１３を構成する一対の信号伝送用ケーブル１１，１２の中心間の中点と、第２のケーブル群１６を構成する一対の信号伝送用ケーブル１４，１５の中心間の中点とを通る仮想線上に配置されることが好適である。具体的には、図５に示すように、第１のケーブル群１３が有する信号伝送用ケーブル１１の中心をＯ１１とし、同じく第１のケーブル群１３が有する信号伝送用ケーブル１２の中心をＯ１２とした場合に、第１のケーブル群１３が有する信号伝送用ケーブル１１の中心Ｏ１１と信号伝送用ケーブル１２の中心Ｏ１２との間の中点をＰ１とする。また同様に、第２のケーブル群１６が有する信号伝送用ケーブル１４の中心をＯ１４とし、第２のケーブル群１６が有する信号伝送用ケーブル１５の中心をＯ１５とした場合に、第２のケーブル群１６が有する信号伝送用ケーブル１４の中心Ｏ１４と信号伝送用ケーブル１５の中心Ｏ１５との中点をＰ２とする。そして、第１のケーブル群１３の中心Ｏ１１，Ｏ１２間の中点Ｐ１と、第２のケーブル群１６の中心Ｏ１４，Ｏ１５間の中点Ｐ２とを通る仮想線をＬ１とした場合に、ドレイン線１９は、この仮想線Ｌ１上に配置されることが好適である。これにより、第１のケーブル群１３および第２のケーブル群１６の信号伝送特性を向上させることができる。なお、ドレイン線１９を、仮想線Ｌ１上に配置せずに、仮想線Ｌ１の近傍に配置してもよい。
【００３３】
以上のように、本実施形態における伝送ケーブル１０は、図２に示すように、第１のケーブル群１３を第１の被覆部材１７が有する導電性の第１の導電層１７ａで被覆し、さらに、第１のケーブル群１３を被覆した第１の導電層１７ａと、第２のケーブル群１６と、１本のドレイン線１９とを第２の導電層１８ａで被覆することで、第１の導電層１７ａと、第２の導電層１８ａと、ドレイン線１９とがそれぞれ電気的に接続している構成とされている。このように、従来のＵＳＢ３．０用の伝送ケーブルにおいて２本あったドレイン線を共有化して１本のドレイン線１９とし、かつ、共有化された１本のドレイン線１９が第１の導電層１７ａおよび第２の導電層１８ａに電気的に接するように伝送ケーブル１０を構成することで、第１の導電層１７ａおよび第２の導電層１８ａで遮断した電磁波などのノイズを、ドレイン線１９を介して、外部のアースに落とすことができるとともに、２本のドレイン線をコネクタの１本の端子に半田付けする必要がなくなり、ドレイン線１９をコネクタに接続する際の接続作業性を向上させることができる。
【００３４】
また、本実施形態では、第２のケーブル群１６は、第１のケーブル群１３を被覆した第１の被覆部材１７とドレイン線１９とともに、第２の被覆部材１８により被覆されている。ここで、仮に、第２のケーブル群１６のみを第２の被覆部材１８で被覆した場合、伝送ケーブルを構成するためには、第１の被覆部材１７で被覆された第１のケーブル群１３と、第２の被覆部材１８で被覆された第２のケーブル群１６と、ドレイン線１９とを被覆するための被覆部材がさらに必要となる。すなわち、本実施形態では、第２のケーブル群１６を、第１のケーブル群１３を被覆した第１の被覆部材１７とドレイン線１９とともに、第２の被覆部材１８によって被覆することで、余計な被覆部材が必要となくなり、その結果、伝送ケーブル１０の生産性が向上する。また、これにより、伝送ケーブル１０の径を細くすることができ、伝送ケーブル１０の屈曲特性を向上させることができる。
【００３５】
なお、本実施形態に係る伝送ケーブル１０は、図２に示すように、ドレイン線１９と第１の導電層１７ａ、ドレイン線１９と第２の導電層１８ａ、および第１の導電層１７ａと第２の導電層１８ａがそれぞれ直接的に接している構造に限るものではなく、第１の導電層１７ａと、第２の導電層１８ａと、ドレイン線１９とがそれぞれ電気的に接続されている構造であればよい。
【００３６】
例えば、図６に示す伝送ケーブル１０ａのように、ドレイン線１９と第１の導電層１７ａとが直接的に接していると共に、ドレイン線１９と第２の導電層１８ａとが直接的に接し、第１の導電層１７ａと第２の導電層１８ａとが直接的に接していなくてもよい。この場合、ドレイン線１９を介して、第１の導電層１７ａと第２の導電層１８ａとが導通しているため、第１の導電層１７ａと、第２の導電層１８ａと、ドレイン線１９とがそれぞれ電気的に接続されている。
【００３７】
また、図７に示す伝送ケーブル１０ｂのように、第１の導電層１７ａと第２の導電層１８ａとが直接的に接していると共に、ドレイン線１９が第２の導電層１８ａと直接的に接し、ドレイン線１９が第１の導電層１７ａと直接的に接していなくてもよい。この場合、第２の導電層１８ａを介して、第１の導電層１７ａとドレイン線１９とが導通しているため、第１の導電層１７ａと、第２の導電層１８ａと、ドレイン線１９とがそれぞれ電気的に接続されている。
【００３８】
さらに、図８に示す伝送ケーブル１０ｃのように、第１の導電層１７ａと第２の導電層１８ａとが直接的に接していると共に、ドレイン線１９が第１の導電層１７ａと直接的に接し、ドレイン線１９が第２の導電層１８ａと直接的に接していなくてもよい。この場合、第１の導電層１７ａを介して、第２の導電層１８ａとドレイン線１９とが導通しているため、第１の導電層１７ａと、第２の導電層１８ａと、ドレイン線１９とがそれぞれ電気的に接続されている。
【００３９】
加えて、図９に示す伝送ケーブル１０ｄのように、第１のケーブル群１３を被覆した第１の被覆部材１７’を、絶縁層を有しないアルミニウムなどの導電性の導電層のみからなる構成としてもよい。この場合には、図９に示すように、ドレイン線１９を、第１の被覆部材１７’内に配置し、ドレイン線１９と第１の被覆部材１７’とが直接的に接していると共に、第１の被覆部材１７’と第２の導電層１８ａとが直接的に接している。これにより、導電性を有する第１の被覆部材１７’を介して、ドレイン線１９と第２の導電層１８ａとが導通しているため、第１の被覆部材１７’と、第２の導電層１８ａと、ドレイン線１９とがそれぞれ電気的に接続されている。
【００４０】
≪第２実施形態≫
図１０は第２実施形態における伝送ケーブルユニットの断面図を示す図である。以下において、図１０を用いて、第２実施形態における伝送ケーブルユニット１ａについて説明する。
【００４１】
図１０に示すように、伝送ケーブルユニット１ａは、４つの伝送ケーブル１０と、これら複数の伝送ケーブル１０を被覆したシールド層６０およびシース７０とを備えている。第２実施形態における伝送ケーブルユニット１ａは、複数の伝送ケーブル１０を有する点で、第１実施形態におけるＵＳＢ３．０用の伝送ケーブルユニット１と異なるが、第１実施形態における伝送ケーブルユニット１と同様に、電源ケーブル２０、グランドケーブル３０、ツイストケーブルペア４０、およびフィラー５０などを備える構成としてもよい。また、伝送ケーブルユニット１ａは、４つの伝送ケーブル１０を備えているが、伝送ケーブルユニット１ａに含まれる伝送ケーブル１０の数は特に限定されない。
【００４２】
なお、第２実施形態に係る伝送ケーブルユニット１ａを構成する伝送ケーブル１０、シールド層６０、およびシース７０は、第１実施形態における伝送ケーブルユニット１が備える各構成と同じであるため、説明は省略する。
【００４３】
以上のように、第２実施形態における伝送ケーブルユニット１ａは、複数の伝送ケーブル１０を有する。ここで、上述したように、伝送ケーブル１０は、従来の伝送ケーブルにおいて２本あったドレイン線を共有化して１本のドレイン線１９としたものである。そのため、伝送ケーブル１０を複数有する伝送ケーブルユニット１ａをコネクタに接続する際には、コネクタに接続するドレイン線の数が、従来の伝送ケーブルユニットよりも少なくて済むため、コネクタへの接続作業性が向上する。また、伝送ケーブルユニット１ａが有するドレイン線の数が半減することで、伝送ケーブルユニット１ａ全体の径が小さくなり、伝送ケーブルユニット１ａの屈曲特性を向上させることができる。
【００４４】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４５】
なお、上述した実施形態における信号伝送用ケーブル１１，１２は本発明における第１のケーブルの一例に、本実施形態における信号伝送用ケーブル１４，１５は本発明における第２のケーブルの一例に、本実施形態におけるツイストケーブルペア４０は本発明における第３のケーブル群の一例に、それぞれ相当する。
【符号の説明】
【００４６】
１，１ａ…伝送ケーブルユニット
１０,１０ａ〜１０ｄ…伝送ケーブル
１３…第１のケーブル群
１１…信号伝送用ケーブル
１１ａ…第１の導線
１１ｂ…第１の絶縁層
１２…信号伝送用ケーブル
１２ａ…第１の導線
１２ｂ…第１の絶縁層
１６…第２のケーブル群
１４…信号伝送用ケーブル
１４ａ…第２の導線
１４ｂ…第２の絶縁層
１５…信号伝送用ケーブル
１５ａ…第２の導線
１５ｂ…第２の絶縁層
１７…第１の被覆部材
１７ａ…第１の導電層
１７ｂ…絶縁層
１８…第２の被覆部材
１８ａ…第２の導電層
１８ｂ…絶縁層
１９…ドレイン線
２０…電源ケーブル
３０…グランドケーブル
４０…ツイストケーブルペア
５０…フィラー
６０…シールド層
７０…シース
【図１】
2011090866.tif 000003
【図２】
2011090866.tif 000004
【図３】
2011090866.tif 000005
【図４】
2011090866.tif 000006
【図５】
2011090866.tif 000007
【図６】
2011090866.tif 000008
【図７】
2011090866.tif 000009
【図８】
2011090866.tif 000010
【図９】
2011090866.tif 000011
【図１０】
2011090866.tif 000012